(57)【要約】【課題】機械的に上腕へカフを巻き付けることが可能なカフ巻付機構を備えた血圧測定装置において、簡易に用いることのできる新規なカフカバーを提供することにある。【解決手段】利用者の腕を上腕挿入口１０２に挿入するという測定動作に応じて、カバー本体１１が円筒形状開口領域１０３の内周面を覆うように装着されることから、円筒形状開口領域１０３の内周面へカフカバー１を容易に装着することができるとともに、利用者の衛生面に対する希望を満足させることが可能となる。【選択図】図１１
2010046260.tif 000002
【特許請求の範囲】
【請求項１】
利用者の上腕に巻き付けられる帯状のカフが収容され、上腕挿入口を有する円筒形状開口領域を備える血圧測定装置に用いられるカフカバーであって、
長方形形状を有するカバー本体と、
前記上腕挿入口の開口上部領域に係止するため、前記カバー本体の一方の第１の長辺の略中央領域に設けられ、前記第１の長辺から外方に向かって突出するように設けられる係止領域と、
前記カバー本体の他方の第２の長辺側の略中央領域に設けられ、前記第２の長辺から内側に向かって凹む切り込み領域と、
を備える、カフカバー。
【請求項２】
前記係止領域の前記上腕挿入口の開口上部領域に対向する面には、前記上腕挿入口の開口上部領域に前記カバー本体を係止させるための係止部材が配設される、請求項１に記載のカフカバー。
【請求項３】
前記カバー本体は、利用者側に配置される第１の面と、前記血圧測定装置側に配置される第２の面とを有し、
前記第１の面は、前記第２の面よりも摩擦係数が小さく設けられる、請求項１または２に記載のカフカバー。
【請求項４】
利用者の上腕に巻き付けられる帯状のカフが収容され、上腕挿入口を有する円筒形状開口領域を備える血圧測定装置であって、
長方形形状を有するカバー本体と、前記上腕挿入口の開口上部領域に係止するため、前記カバー本体の一方の第１の長辺の略中央領域に設けられ、前記第１の長辺から外方に向かって突出するように設けられる係止領域と、前記カバー本体の他方の第２の長辺側の略中央領域に設けられ、前記第２の長辺から内側に向かって凹む切り込み領域とを備える、カフカバーを有し、
前記カフカバーは、前記係止領域が、前記上腕挿入口の開口上部領域に係止した状態において、前記カバー本体が、前記円筒形状開口領域の内周面を覆うように配設されている、血圧測定装置。
【請求項５】
利用者の上腕に巻き付けられる帯状のカフが収容され、上腕挿入口を有する円筒形状開口領域を備える血圧測定装置へのカフカバー装着方法であって、
カフカバーは、
長方形形状を有するカバー本体と、
前記上腕挿入口の開口上部領域に係止するため、前記カバー本体の一方の第１の長辺の略中央領域に設けられ、前記第１の長辺から外方に向かって突出するように設けられる係止領域と、
前記カバー本体の他方の第２の長辺側の略中央領域に設けられ、前記第２の長辺から内側に向かって凹む切り込み領域とを備え、
前記カバー本体の中央部領域により前記上腕挿入口を覆うように配置し、前記係止領域を前記上腕挿入口の開口上部領域に係止させた状態で、利用者の腕を前記上腕挿入口に挿入することで、前記カバー本体が筒形状に丸まりながら利用者の腕により前記カバー本体が前記円筒形状開口領域内に押し込まれ、利用者の上腕が前記円筒形状開口領域に位置した状態において、前記カバー本体が前記円筒形状開口領域の内周面を覆うように装着される、血圧測定装置へのカフカバー装着方法。
【発明の詳細な説明】
【技術分野】
【０００１】
本発明は、カフカバー、血圧測定装置、および、血圧測定装置へのカフカバー装着方法に関し、特に、血圧測定装置の円筒形状開口領域の内周面を覆うカフカバーに関する。
【背景技術】
【０００２】
近年、機械的に上腕へカフを巻き付けることが可能なカフ巻付機構を備えた血圧測定装置（特許文献１）が普及しつつある。このような血圧測定装置は、病院の待合室、薬局の待合室、公共施設のロビー等に設置されており、不特定多数の者の利用を可能としている。また、健康志向から一般家庭内においても、小型の血圧測定装置（特許文献２）が普及し、家族間における利用を可能としている。
【０００３】
上記のように不特定多数の者が使用する場合には、利用者から衛生的な面の配慮を望む声が高くなってきている。機械式ではなく、医師、看護師により腕帯を上腕に巻きつけるタイプの血圧計においては、衛生面を考慮する観点から、下記特許文献３および特許文献４に開示されるカバーが用いられていた。しかし、機械的に上腕へカフを巻き付けることが可能なカフ巻付機構を備えた血圧測定装置において、簡易に用いることのできるカフカバーは、何ら開発されていなかった。
【特許文献１】特開２０００−２１７７９４号公報
【特許文献２】特開２００５−２３７４３２号公報
【特許文献３】実公平１−４３０４４号公報
【特許文献４】特開平８−５７９号公報
【発明の開示】
【発明が解決しようとする課題】
【０００４】
したがって、本発明は、機械的に上腕へカフを巻き付けることが可能なカフ巻付機構を備えた血圧測定装置において、簡易に用いることのできる新規なカフカバーを提供することにある。
【課題を解決するための手段】
【０００５】
この発明に基づいたカフカバーにおいては、利用者の上腕に巻き付けられる帯状のカフが収容され、上腕挿入口を有する円筒形状開口領域を備える血圧測定装置に用いられるカフカバーであって、長方形形状を有するカバー本体と、上記上腕挿入口の開口上部領域に係止するため、上記カバー本体の一方の第１の長辺の略中央領域に設けられ、上記第１の長辺から外方に向かって突出するように設けられる係止領域と、上記カバー本体の他方の第２の長辺側の略中央領域に設けられ、上記第２の長辺から内側に向かって凹む切込み領域とを備えている。
【０００６】
この発明に基づいた血圧測定装置においては、利用者の上腕に巻き付けられる帯状のカフが収容され、上腕挿入口を有する円筒形状開口領域を備える血圧測定装置であって、長方形形状を有するカバー本体と、上記上腕挿入口の開口上部領域に係止するため、上記カバー本体の一方の第１の長辺の略中央領域に設けられ、上記第１の長辺から外方に向かって突出するように設けられる係止領域と、上記カバー本体の他方の第２の長辺側の略中央領域に設けられ、上記第２の長辺から内側に向かって凹む切込み領域とを備える、カフカバーを有している。
【０００７】
また、上記カフカバーは、上記係止領域が、上記上腕挿入口の開口上部領域に係止した状態において、上記カバー本体が、上記円筒形状開口領域の内周面を覆うように配設されている。
【０００８】
この発明に基づいたカフカバー装着方法においては、利用者の上腕に巻き付けられる帯状のカフが収容され、上腕挿入口を有する円筒形状開口領域を備える血圧測定装置へのカフカバー装着方法であって、カフカバーは、長方形形状を有するカバー本体と、上記上腕挿入口の開口上部領域に係止するため、上記カバー本体の一方の第１の長辺の略中央領域に設けられ、上記第１の長辺から外方に向かって突出するように設けられる係止領域と、上記カバー本体の他方の第２の長辺側の略中央領域に設けられ、上記第２の長辺から内側に向かって凹む切込み領域とを備えている。
【０００９】
上記カバー本体の中央部領域により上記上腕挿入口を覆うように配置し、上記係止領域を上記上腕挿入口の開口上部領域に係止させた状態で、利用者の腕を上記上腕挿入口に挿入することで、上記カバー本体が筒形状に丸まりながら利用者の腕により上記カバー本体が上記円筒形状開口領域内に押し込まれ、利用者の上腕が上記円筒形状開口領域に位置した状態において、上記カバー本体が上記円筒形状開口領域の内周面を覆うように装着される。
【発明の効果】
【００１０】
この発明に基づいたカフカバー、血圧測定装置、および、カフカバー装着方法によれば、利用者の腕を上腕挿入口に挿入するという測定動作に応じて、カバー本体が円筒形状開口領域の内周面を覆うように装着されることから、円筒形状開口領域の内周面へのカフカバーを容易に装着することができるとともに、利用者毎に、カフカバーを交換して用いることができることから、利用者の衛生面に対する希望を満足させることが可能となる。
【発明を実施するための最良の形態】
【００１１】
以下、本発明の実施の形態に基づいたカフカバー、血圧測定装置、および、カフカバー装着方法について説明する。なお、以下の説明において、同一または相当する部分には同一の参照符号を付し、その説明を繰返さない場合がある。また、生体の血圧測定を行なうカフカバーの血圧測定方式には、代表的なものとして、オシロメトリック式、コロトコフ式が挙げられるが、本発明の特徴は、血圧測定装置用カフのカフカバーにあることから、血圧測定方式に限定されるものではない。
【００１２】
（カフカバー）
以下、この発明に基づいた実施の形態におけるカフカバーについて、図１および図２を参照して説明する。なお、図１は、本実施の形態におけるカフカバーの全体構成を示す平面図であり、図２は、図１中ＩＩ−ＩＩ線矢視断面図である。
【００１３】
図１および図２を参照して、本実施の形態におけるカフカバー１は、長方形形状を有するカバー本体１１と、このカバー本体１１の一方の第１の長辺１１ａの略中央領域に設けられ、第１の長辺１１ａから外方に向かって突出するように設けられる係止領域としての三角形状係止領域１２と、カバー本体１１の他方の第２の長辺１１ｂ側の略中央領域に設けられ、第２の長辺１１ｂから内側に向かって凹む切込み領域としての三角形切込み領域１３とを備えている。
【００１４】
カバー本体１１の寸法は、血圧測定装置の大きさにもよるが、一例としては、長辺側寸法（Ｌ）が約３０ｃｍ〜約４０ｃｍ、短辺側の寸法（ｈ）が約１０ｃｍ〜約２０ｃｍ程度である。また、三角形状係止領域１２は、突出高さ（ｈ１）が約２ｃｍ、底辺幅（Ｌ２＝６ｃｍ）が約１２ｃｍの二等辺三角形である。なお、三角形状係止領域１２の底辺部分に示す二点鎖線Ｌ１は、カフカバー１の血圧測定装置への装着時に谷折りされる領域を示している。
【００１５】
また、三角形切込み領域１３は、本実施の形態においては、上述した三角形状係止領域１２と同等の切込み面積となるように、切込み高さ（ｈ２）が約４ｃｍ、底辺幅（Ｌ３＝６ｃｍ）が約１２ｃｍの二等辺三角形である。なお、三角形切込み領域１３の三角形の頂点Ｐ１は、カフカバー１の血圧測定装置への装着時にカバー本体１１が丸まるときの起点となる位置を示している。
【００１６】
このように、三角形状係止領域１２と三角形切込み領域１３との面積を同じにすることで、材料からカバー本体１１を切り抜く際に、不要部分をなくすることができる。なお、三角形状係止領域１２と三角形切込み領域１３との面積を同じにすることは必ずしも必須ではなく、異なる面積とすることも可能である。また、その形状も三角形形状に限定されるものではなく、係止領域としては、四角形形状、半円形形状の採用も可能である。また、切込み領域としても、線状（スリット状）の切込みでもかまわない。
【００１７】
カバー本体１１の材料としては、血圧測定装置の円筒形状開口領域の内周面を覆うように容易に変形することが可能な部材であればどのような材料の採用も可能である。一例としては、ポリエチレン不織布、ポリプロピレン不織布、その他の布状部材の採用が考えられる。
【００１８】
また、後述のカフカバー装着方法に示すように、利用者の腕の挿入動作に応じて、カバー本体１１を変形（丸める）させることから、図２の断面図に示すように、利用者側に配置される第１の面１１ｆは、血圧測定装置側に配置される第２の面１１ｒよりも摩擦係数が小さく設けられることで、利用者の腕をスムースに挿入することを可能としながらも、円筒形状開口領域１０３の内周面側へのカバー本体１１の装着性を向上させることができる。たとえば、第２の面１１ｒ側に布状部材を配設して、第１の面１１ｆ側を樹脂部材によりラミネートする構造の採用が可能である。
【００１９】
（カフカバー１の装着方法）
次に、図３から図１１を参照して、上記カフカバー１を用いた血圧測定装置へのカフカバー装着方法について説明する。なお、図３は血圧測定装置の概略構成を示す斜視図であり、図４は、血圧測定装置を用いた利用者における血圧測定状態を示す図である。また、図５は、血圧測定装置へのカフカバー１の装着状態を示す図であり、図６および図７、図８および図９、図１０および図１１は、腕の挿入状態を順次進めた状態におけるカフカバー１の装着状態を示す図である。なお、図７は、図６に示す腕の挿入状態において腕の図示を省略した図であり、図９は、図８に示す腕の挿入状態において腕の図示を省略した図であり、図１１は、図１０に示す腕の挿入状態において腕の図示を省略した図である。
【００２０】
まず、図３を参照して、血圧測定装置１００は、利用者Ｍの上腕Ｍ１に巻き付けられる帯状のカフ（図示省略）が収容され、上腕挿入口１０２を有する円筒形状開口領域１０３を備えている。利用者Ｍが、血圧測定装置１００を用いて血圧を測定する場合には、図４に示すように、一般的には、右腕の上腕Ｍ１を円筒形状開口領域１０３の挿入して、血圧を測定する。
【００２１】
次に、利用者による血圧測定に至るまでの、具体的なカフカバー装着方法について説明する。まず、図５を参照して、カフカバー１のカバー本体１１の中央部領域により血圧測定装置１００の上腕挿入口１０２を覆うように配置する。この際、三角形状係止領域１２に設けた両面テープ１４を用いて、上腕挿入口１０２の開口上部領域に三角形状係止領域１２貼着固定させる。
【００２２】
なお、本実施の形態においては、両面テープを用いた場合について説明しているが、三角形状係止領域１２の上腕挿入口１０２の開口上部領域への係止方法はどのような方法を用いることも可能であり、予め上腕挿入口１０２の開口上部領域にクリップを設け、このクリップに三角形状係止領域１２を挟み込んで固定することも可能である。また、左手により、三角形状係止領域１２を上腕挿入口１０２の開口上部領域に押えて付けて保持させる方法も可能である。
【００２３】
次に、図６および図７を参照して、利用者Ｍの腕Ｍ１を上腕挿入口１０２に挿入する。これにより、カバー本体１１が円筒形状開口領域１０３に押されることになる。このとき、三角形状係止領域１２の底辺部分に示す二点鎖線Ｌ１が山折り状態なるとともに、三角形切込み領域１３の三角形の頂点Ｐ１を中心として、カバー本体１１が円筒形状開口領域１０３の内面に沿って円筒状に丸まろうとする。
【００２４】
次に、図８および図９を参照して、利用者Ｍの腕Ｍ１を上腕挿入口１０２に挿入すると、カバー本体１１が腕Ｍ１の挿入に追従して円筒形状開口領域１０３の内部に押し込められるとともに、円筒形状開口領域１０３の内面に沿ってさらに円筒状に丸まることになる。
【００２５】
次に、図１０および図１１を参照して、利用者Ｍの上腕Ｍ１が上腕挿入口１０２に挿入された状態においては、一方の短辺１１ｃが他方の短辺１１ｄに重なるようにして、カバー本体１１が丸まり、カバー本体１１が円筒形状開口領域１０３の内周面を覆うように装着されることになる。
【００２６】
以上、本実施の形態においては、利用者Ｍの腕Ｍ１を上腕挿入口１０２に挿入するという測定動作に応じて、カバー本体１１が円筒形状開口領域１０３の内周面を覆うように装着されることから、円筒形状開口領域１０３の内周面へカフカバー１を容易に装着することができる。また、利用者毎にカフカバー１を交換して用いることができることから、利用者Ｍの衛生面に対する希望を満足させることが可能となる。
【００２７】
なお、上記図５から図１１においては、病院、薬局等に配置される比較的大型の血圧測定装置１００に対してカフカバー１を装着させる場合について説明したが、この血圧測定装置１００に限らず、利用者の上腕に巻き付けられる帯状のカフが収容され、上腕挿入口を有する円筒形状開口領域を備える血圧測定装置であればどのようなタイプの血圧測定装置に適用することも可能である。たとえば、図１２に示すような、主として家庭での使用を目的とした、本体２０２に対して円筒形状開口領域２０３が可動式の筐体２０１を備える血圧測定装置２００に、本実施の形態のカフカバー１を適用することも可能である。
【００２８】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【００２９】
【図１】本実施の形態におけるカフカバーの全体構成を示す平面図である。
【図２】図１中ＩＩ−ＩＩ線矢視断面図である。
【図３】血圧測定装置の概略構成を示す斜視図である。
【図４】血圧測定装置を用いた利用者における血圧測定状態を示す図である。
【図５】血圧測定装置へのカフカバーの装着状態を示す図である。
【図６】腕の挿入状態を順次進めた状態におけるカフカバーの装着状態を示す第１の図である。
【図７】図６に示す挿入状態において利用者の腕の図示を省略した図である。
【図８】腕の挿入状態を順次進めた状態におけるカフカバーの装着状態を示す第２の図である。
【図９】図８に示す挿入状態において利用者の腕の図示を省略した図である。
【図１０】腕の挿入状態を順次進めた状態におけるカフカバーの装着状態を示す第３の図である。
【図１１】図１０に示す挿入状態において利用者の腕の図示を省略した図である。
【図１２】他の形態の血圧測定装置へのカフカバーの装着状態を示す図である。
【符号の説明】
【００３０】
１  カフカバー、１１  カバー本体、１１ａ  第１の長辺、１１ｂ  第２の長辺、１１ｒ  第２の面、１１ｆ  第１の面、１２  三角形状係止領域、１３  三角形切込み領域、１００  血圧測定装置、１０２  上腕挿入口、１０３  円筒形状開口領域、２００  血圧測定装置、２０１  筐体、２０２  本体、２０３  円筒形状開口領域、Ｍ  利用者、Ｍ１  腕（上腕）。
【図１】
2010046260.tif 000003
【図２】
2010046260.tif 000004
【図３】
2010046260.tif 000005
【図４】
2010046260.tif 000006
【図５】
2010046260.tif 000007
【図６】
2010046260.tif 000008
【図７】
2010046260.tif 000009
【図８】
2010046260.tif 000010
【図９】
2010046260.tif 000011
【図１０】
2010046260.tif 000012
【図１１】
2010046260.tif 000013
【図１２】
2010046260.tif 000014